(57)【要約】【課題】フック体に何れの方向から外力が加わっても同じ荷重で鞄本体からフック体が外れるようにすることができる吊下具及び鞄を提供する。【解決手段】本発明に係る吊下具は、鞄本体に設けられた取付部材に掛止めされる連結部材と、この連結部材を介して前記取付部材に取付けられるフック体とを具備してなり、前記連結部材が、前記フック体に作用する荷重の方向に応じて首振り動作を行うように構成されるとともに前記フック体に一定以上の引張り荷重が作用した場合に変形し又は破壊されて前記フック体を前記取付部材に対して離脱させるように強度設定されたものである。本発明に係る鞄は鞄本体が具備する取付部材に当該吊下具を取り付けたものである。【選択図】図７
2017006292.tif 000002
【特許請求の範囲】
【請求項１】
鞄本体に設けられた取付部材に掛止めされる連結部材と、この連結部材を介して前記取付部材に取付けられるフック体とを具備してなり、
前記連結部材が、前記フック体に作用する荷重の方向に応じて首振り動作を行うように構成されるとともに前記フック体に一定以上の引張り荷重が作用した場合に変形し又は破壊されて前記フック体を前記取付部材に対して離脱させるように強度設定されたものである吊下具。
【請求項２】
前記連結部材が、変形可能な樹脂製のものである請求項１記載の吊下具。
【請求項３】
前記連結部材が、前記取付部材に掛けられる上端部及び前記フック体に係わり合う下端部を備えた一部に開口を有した輪状の連結部材本体と、この連結部材の前記開口に臨設され当該開口を前記取付部材又は前記フック体が通過するときに他の部位よりも優先して変形可能に設けられた先端が開放端である片持ち薄肉部とを備えたものである。
【請求項４】
前記フック体が、輪の一部が開閉し、吊下対象物を押し込むことにより連結可能に構成されたナス環である請求項１、２又は３記載の吊下具。
【請求項５】
取付部材を備えた鞄本体と、請求項１、２、３又は４記載の吊下具とを具備してなる鞄。
【請求項６】
前記鞄本体が、外側面に前記取付部材を備えたランドセルである請求項５記載の鞄。
【請求項７】
前記取付部材が、外面にリベットを用いて止着されたものである請求項５又は６記載の鞄。
【請求項８】
前記取付部材が、線材を環状に成形し基端部側をプレスにより平らに成形した前記外面に密着するプレス領域と、前記線材自体の断面形状を維持しながら前記外面から離間するように成形した線状領域とを有するものである請求項７記載の鞄。
【請求項９】
前記線状領域の先端で前記連結部材を支持するとともに前記連結部材が前記線状領域と前記外面との間のスペースを利用して首振動作する請求項８記載の鞄。
【発明の詳細な説明】
【技術分野】
【０００１】
本発明は、吊下対象物を吊り下げるための吊下具及び当該吊下具を具備する鞄に関するものである。
【背景技術】
【０００２】
従来、内容物を内部に収容するための鞄を利用するとき、収容部を有する鞄本体内に収容する荷物とは別に、鞄本体の外面に一部の荷物を吊り下げる、所謂吊下対象物として取り扱うことができるようにするための吊下具が提案されている。とくに鞄本体が、就学児童が背中に背負うことを目的とする所謂ランドセルである場合では、殆どのものが前記吊下具を設けることにより、鞄として取り扱われている(例えば、特許文献１及び特許文献２参照)。
【０００３】
そして上述したような吊下具を使用する場合には従前より、吊下具に吊り下げられた吊下対象物が例えば使用者の移動中などにおいて不意に他の物に引っ掛かってしまい、このときに鞄本体に加わる大きな外力のために使用者の姿勢が大きく崩れてしまうといった現象が懸念されている。そこで上記各特許文献では、斯かる現象を回避すべく、上述のような大きな外力が生じたとき、吊下具の一部又は全部が鞄本体から吊下対象物ごと離脱し得る構成を適用している。
【先行技術文献】
【特許文献】
【０００４】
【特許文献１】実用新案登録第２５４６９４８号公報
【特許文献２】特許第４９６４１６６号公報
【発明の概要】
【発明が解決しようとする課題】
【０００５】
しかしながら特許文献１に記載のものは、上記外力が生じたときには、鞄本体に固定した取付部材を変形させることにより当該取付部材に掛けられたフック体を取付部材から離脱させる態様を適用しているため、繰り返しフック体が離脱するような場合は取付部材の強度が疲労により低下してしまう。そして当該取付部材は鞄本体を構成する素材の外面にリベット等により強固に固定されているため、取付部材の交換するときには特別な工具や手順を要するために鞄本体ごと修理の対象となり、使用者が使用出来ない期間を招来してしまう。また同文献に記載のものでは、外力が作用する方向によって取付部材に対するフック体の相対位置が異なるため、取付部材を変形させてフック体を離脱させるに足る荷重の大きさは、上記外力が作用する方向によって大きくばらつきがあるのが現状である。
【０００６】
また特許文献２に記載のものは、鞄本体側の取付部材とフック体とを、弾性変形課の連結杆（９）により接続しており、この連結杆が適宜フック体を離脱させることにより上記外力が生じても取付部材を損傷する不具合は起こり難い。しかしながら当該連結杆は取付部材及びフック体を所定の相対位置で固定する態様を適用しているため、上記外力が作用する方向によって、フック体を離脱させるのに要する荷重の大きさに大きくばらつきがあるのが現状である。
【０００７】
本発明は、このような不具合に着目したものであり、フック体に何れの方向から外力が加わっても同じ荷重で鞄本体からフック体が外れるようにすることができる吊下具及び鞄を提供することを目的としている。
【課題を解決するための手段】
【０００８】
本発明は、このような目的を達成するために、次のような手段を講じたものである。
【０００９】
すなわち本発明に係る吊下具は、鞄本体に設けられた取付部材に掛止めされる連結部材と、この連結部材を介して前記取付部材に取付けられるフック体とを具備してなり、前記連結部材が、前記フック体に作用する荷重の方向に応じて首振り動作を行うように構成されるとともに前記フック体に一定以上の引張り荷重が作用した場合に変形し又は破壊されて前記フック体を前記取付部材に対して離脱させるように強度設定されたものであることを特徴とする。
【００１０】
また本発明に係る鞄は、取付部材を備えた鞄本体と、当該吊下具とを具備してなることを特徴とする。
【００１１】
このようなものであれば、連結部材が荷重の方向に応じて首振動作可能に構成されているため、荷重を受ける連結部材の姿勢が荷重の方向によって変化してしまうことが抑制される。これにより、荷重の方向が変わっても連結部材に対し予め設定された強度に応じた荷重でフック体を離脱させることができる。すなわち本発明によれば、フック体に何れの方向から外力が加わっても同じ荷重で鞄本体からフック体が外れるようにすることができる吊下具及び鞄を提供することができる。加えて本発明によれば、連結部材を取り替えることでフック体が外れた後でも再度外れる前と同じ状態に容易に復元させることができる。すなわち大掛かりな修理等を強いられる取付部材の交換を行うことなく継続して使用することができる。
【００１２】
連結部材の強度設定を容易且つ正確に行い得るようにするためには、連結部材を、変形可能な樹脂製のものとすることが望ましい。
【００１３】
そしてフック体の着脱を容易なものとしつつ当該フック体の着脱を繰り返しても荷重によりフック体を離脱させるときの荷重の値に影響を及ぼさないようにし得る態様として、連結部材が、取付部材に掛けられる上端部及びフック体に係わり合う下端部を備えた一部に開口を有した輪状の連結部材本体と、この連結部材の開口に臨設され当該開口を取付部材又はフック体が通過するときに他の部位よりも優先して変形可能に設けられた先端が開放端である片持ち薄肉部とを備えたものである態様を挙げることができる。
【００１４】
ここで、本発明の「フック体」とは、吊下対象物を吊り下げ得る形状をなすものであれば、いわゆるＳ字フックと称されるような概略Ｓ字状をなす線材や線材を一周或いは二周以上円周状に成形した掛け止め用のリングやクリップといったものも勿論含まれる。なかでも特に、吊下対象物の取り扱いを容易にして使用し易い吊下具を構成するためには、フック体を、輪の一部が開閉し、吊下対象物を押し込むことにより連結可能に構成されたナス環とすることが好ましい。
【００１５】
ここで、ナス環とは、引っ掛けてつなぐのに使う、卵形の金属製の輪のことを指す。そして勿論当該ナス環には、カラビナといった岩登りにも用いられ得るような、ハーケンとザイルとを連絡するために強度を設定された、一部がばね式で開閉できる金属製の輪も含まれる。
【００１６】
特に、フック体に掛かる外力により鞄の使用者の姿勢を崩してしまうといった現象を有効に回避することができる態様として鞄本体を、外側面に取付部材を備えたランドセルとした態様を挙げることができる。
【００１７】
また、フック体に加わる外力を安定して連結部材に伝達させ得る態様として、取付部材が、外面にリベットを用いて止着された態様を挙げることができる。
【００１８】
また取付部材及び鞄本体の強度の維持と、連結部材の安定した首振動作とを両立させるためには、取付部材を、線材を環状に成形し基端部側をプレスにより平らに成形した外面に密着するプレス領域と、線材自体の断面形状を維持しながら外面から離間するように成形した線状領域とを有するものとすることが望ましい。
【００１９】
そして連結部材の首振動作を円滑に行わせ得る取付部材の具体的な態様として、記線状領域の先端で連結部材を支持するとともに連結部材が線状領域と外面との間のスペースを利用して首振動作する態様を挙げることができる。
【発明の効果】
【００２０】
本発明によれば、フック体に何れの方向から外力が加わっても同じ荷重で鞄本体からフック体が外れるようにすることができる吊下具及び鞄を提供することができる。
【図面の簡単な説明】
【００２１】
【図１】本発明の一実施形態に係る外観図。
【図２】同実施形態に係る正面図。
【図３】同実施形態に係る斜視図。
【図４】同実施形態に係る分解斜視図。
【図５】同実施形態に係る分解正面図。
【図６】同実施形態に係る分解側面図。
【図７】同実施形態に係る作用説明図。
【図８】同上。
【図９】同上。
【発明を実施するための形態】
【００２２】
以下、本発明の一実施の形態について図面を参照して説明する。
【００２３】
本実施形態に係る鞄は、図１に示すように、例えば就学児童が通学時に背負って使用するランドセルとして取り扱われる鞄本体１と、この鞄本体１に取り付けられた吊下具５とを有するものである。ここで、本実施形態では鞄本体１自体を「ランドセル」と称するものとして以下記載するが勿論、当該鞄本体１と吊下具５とを有する鞄そのものを「ランドセル」と称する態様を否定するものではない。
【００２４】
鞄本体１は、皮革或いは人工皮革素材を適宜縫製或いはリベット１０等によりカシメることにより成形されたもので、例えば前面側で使用者の背中に密着する背当て１ａと、この背当て１ａ後方に箱状に成形された収容部１ｂと、背当て１ａの上端を基端とし、収容部１ｂの上方及び後方から覆う被せ蓋１ｃと、背当て１ａの上下端を環状につなぐように対をなして設けられ使用者の肩を周回する図示しない肩ベルトとを有する通常のランドセルとして好適に利用され得るものである。そして収容部１ｂは、上方に向いた取出口１ｄと、両側面を若干の撓み変形を可能に設けたマチ１ｅと、後ろ側に別途ポケット等を設けた後面板１ｆと、この後面板１ｆからマチ１ｅに亘って補強する目的で強固に縫いつけ及びカシメにより取り付けられた帯状体１ｇとを有している。この帯状体１ｇには２箇所のリベット１０が止着されており、帯状体１ｇ前端に設けられたリベット１０は、マチ１ｅに対し直接固定するために設けられ、図示後ろ側に設けられたリベット１０はマチ１ｅには固定されておらず、専らマチ１ｅの外側面に取付部材１１を強固に固定するためのものである。
【００２５】
ここで、本実施形態に係る吊下具５は、鞄本体１に設けられた取付部材１１に掛止めされる連結部材２と、この連結部材２を介して取付部材１１に取付けられるナス環３たるナス環３とを具備してなり、連結部材２が、ナス環３に作用する荷重の方向に応じて首振り動作を行うように構成されるとともにナス環３に一定以上の引張り荷重が作用した場合に変形し又は破壊されてナス環３を取付部材１１に対して離脱させるように強度設定されたものであることを特徴とする。また上述の通り、本実施形態に係る鞄は当該吊下具５と、取付部材１１を有する鞄本体１とを具備する。
【００２６】
以下、鞄本体１が具備する取付部材１１、及び吊下具５の構成について図１〜図６を参照しつつ説明する。
【００２７】
取付部材１１は、図１〜図６に示すように、例えば鋼製の線材に曲げ加工及びプレス加工を施すことによって形成されたもので、プレス加工が施されたプレス領域１１ａが、収容部１ｂのマチ１ｅ及び帯状体１ｇの間にマチ１ｅの外面に密着しながら位置付けられることで、帯状体１ｇが外方に不要に膨らむことを回避している。当該プレス領域１１ａには、鞄本体１を構成する素材の外面にリベット１０を用いて止着されるための固定穴１４を形成すべく環状に形成された環状プレート１２と、当該環状プレート１２の下端から左右斜め下方へ向けて拡開しながら延出する延出プレート１３とが位置付けられている。また延出プレート１３の下方の領域は、プレス加工がなされておらず線材自体の断面形状を維持しながら外面から離間するように成形された線状領域１１ｂとなっている。この線状領域１１ｂには、マチ１ｅとの間にスペース１１ｃを設けるべく延出プレート１３から屈曲して伸びる持出杆１６と、この持出杆１６の下端同士を直線状に接続する、表面を円筒面１５ａとした断面視真円形状をなす取付軸１５とを有している。また本実施形態では、当該持出杆１６の内面を、連結部材２が横方向へずれるのを禁止するための規制縁１７としている。そして本実施形態では、マチ１ｅの外面と取付軸１５との間の離間寸法であるスペース１１ｃの寸法を、連結部材２の上端部２１の樹脂素材の厚み寸法以上に設定している。
【００２８】
連結部材２は、図１〜図６に示すように、上述の通りナス環３とともに吊下具５を構成するものであり、例えばナイロンといった変形可能な樹脂製のもので、取付部材１１に首振動作可能に支持される上端部２１と、ナス環３を支持する下端部２２と、これら上端部２１及び下端部２２を連結する垂下壁２４と、この垂下壁２４に対向する側において下端部２２から上方に肉厚を薄くしながら延出し且つ上端部２１との間に隙間２ｓを形成するように設けた片持ち薄肉部たる薄肉変形部２３とを有している。そして当該連結部材２における上端部２１、下端部２２及び垂下壁２４が一体的に連続し断面視Ｃ字状すなわち一部に開口（隙間２ｓ）を有した輪状の連結部材本体に相当する。すなわち当該連結部材２は、斯かる連結部材本体と、この連結部材２の開口たる隙間２ｓに臨設され当該隙間２ｓを取付部材１１又はナス環３が通過するときに他の部位よりも優先して変形可能に設けられた片持ち薄肉部たる薄肉変形部２３とを備えている。なお同図では連結部材２は薄肉変形部２３が鞄本体１側に面するように取り付けられているが、これは薄肉変形部２３が外方に露出し他のものに干渉されてしまうことを回避するためであるが勿論、鞄本体１に対して連結部材２を取り付ける表裏の向きを限定するものではない。
【００２９】
また当該連結部材２は、上端部２１の幅寸法を下端部２２の幅寸法よりも大きく設定している。具体的に説明すると、連結部材２は、上端部２１から垂下壁２４の一部に亘って樹脂素材を幅広く成形した幅広領域２ａと、垂下壁２４の下側の一部、下端部２２及び薄肉変形部２３に亘って幅広領域２ａよりも巾寸法を狭く形成した幅狭領域２ｂと、これら幅広領域２ａ及び幅狭領域２ｂに対しテーパ形状を形成しながら介在する禁止面２ｃとを有している。
【００３０】
つまりこの連結部材２を取付部材１１へ取り付けるときは取付軸１５を隙間２ｓから通して幅狭領域２ｂ、禁止面２ｃを通過させながら上端部２１まで移動させる。一方この連結部材２にナス環３を取り付けるときには隙間２ｓから下端部２２まではナス環３を移動できるものの、上端部２１側へ移動させようとしても禁止面２ｃの箇所で巾寸法がナス環３の巾寸法よりも大きくなるので、ナス環３が上端部２１側へ移動し得ない。
【００３１】
ナス環３は、本実施形態では輪の一部が開閉し、吊下対象物を押し込むことにより連結可能に構成された通常のものである。このナス環３は、連結部材２に掛けられる引掛穴３１と、この引掛穴３１の下方に設けられ吊下対象物を吊り下げるための吊下体３２とを有している。引掛穴３１は、連結部材２の下端部２２の掛止面に対応する引掛端３３と、下端部２２を両側から挟み込む側縁３４とを有している。吊下体３２は、マチ１ｅの外側面に接し得る本体３５と、この本体３５から突出し輪の一部を開閉させ得るように動作可能に設けられた開閉部３６と、本体３５の下縁から屈曲形状をなして突出して吊下対象物を掛けるためのフック部３７とを有している。開閉部３６は、本実施形態では金属或いは樹脂製の線材からなる開閉体３６ｂと、この開閉体３６ｂを回転可能に支持する軸受け３６ａとを有している。本実施形態ではこの開閉体３６ｂの両端が軸受け３６ａに軸支される位置を上下にずらしながらフック部３７に当接させることにより、外力による開閉体３６ｂの開き動作時に素材が捻られようにし、上記外力が解除されれば当該捻れに対する反発力により再びフック部３７に当接するようにしている。フック部３７は吊下対象物を掛け止める吊下面３７ａと、開閉体３６ｂの先端に当接して輪を閉じる役割を担う閉止面３７ｂとを有している。そして開閉体３６ｂはフック部３７に対し当接する方向に上記反発力に起因する弾性付勢されているが、吊下対象物を掛ける際には反発力に抗して開閉体３６ｂを押圧すれば開閉体３６ｂと閉止面３７ｂとの間から吊下対象物の上端を挿入することができる。また当該吊下対象物の上端を挿入後は、上記反発力に起因する弾性付勢により再び開閉体３６ｂが閉止面３７ｂに再び当接する。
【００３２】
しかして本実施形態では図７〜図９に示すように、ナス環３に対して下方向、横方向並びに上方向の何れの方向に荷重が加わった場合でも連結部材２に予め設定された強度に対応した荷重を超えると外れるようになっている。同図では、ナス環３に掛かる荷重がそれぞれ下方向、横方向並びに上方向に掛かった場合の動作を模式的に示している。なお本実施形態では連結部材２の上端部２１は両側が取付部材１１の規制縁１７に拘束されて取付部材１１は連結部材２に対し取付軸１５の軸芯の延出方向にずれることはない。また取付部材１１の下端部２２の両側はナス環３の側縁３４近傍に設定されるため、ナス環３は、連結部材２に対して上記の延出方向にずれることはない。それ故本実施形態ではナス環３に加わる荷重がいずれの方向であっても以下に記す首振り方向すなわち図示上下方向の回転動作へと変換される。
【００３３】
具体的に説明すると、図７に矢印に示すようにナス環３に対し上から下方向の荷重が掛かったとき、同図並びに図１、図２及び図３に示す状態から連結部材２はなんら動作を行うことなく荷重を受ける。このときの荷重は、上端部２１、下端部２２及び垂下壁２４すなわち連結部材本体が専ら受けることになる。一方薄肉変形部２３は下端部２２に片持ち支持されており先端は上端部２１に対し隙間２ｓを隔てて形成された自由端となっているので、当該荷重になんら関係が無い。
【００３４】
そして、図７右側にて示すように、矢印で示した荷重が一定の値を超えると本実施形態では上端部２１が変形することにより、取付部材１１と連結部材２との接続が解除され、ナス環３が鞄本体１から離脱する。上記一定の値とは、連結部材２を構成する素材や厚み寸法やその他具体的形状を適宜設定される。本実施形態では例えば鞄本体１を背負っている就学児童の姿勢が崩されてしまうような荷重が掛かると同図のようにナス環３が鞄本体１から離脱する。
【００３５】
そして図８では、矢印に示すようにナス環３に対し横方向の荷重が掛かった状態を示している。同図に示すように、連結部材２は、ナス環３に掛かる荷重方向に応じて、取付部材１１に対し首振動作を行う。換言すれば、取付部材１１の取付軸１５を中心とした回転動作を行なうことにより、連結部材２が荷重方向に沿った向きへと姿勢変更を行う。当該首振動作により、ナス環３と連結部材２との相対位置は図７に示す状態と殆ど変化が無い。そして本実施形態では、取付部材１１の取付軸１５を断面略真円形状に形成するとともに上端部２１の摺接面を略真円形状に設定し、上端部２１を構成する樹脂素材の厚み寸法を上端部２１の略全域に亘って同じとなるように設定している。これにより、首振動作によって図７に示す状態とは、取付部材１１及び連結部材２の相対位置は異なるものの、互いに接している箇所及びその周辺の形状が図７に示す態様、特に図７のＡ部拡大断面図及び図８のＢ部拡大断面図に示すように、略同じとなっている。これにより、図８に示すような荷重が掛かっても、図７に示すときと略同じ荷重により連結部材２が変形し、ナス環３が鞄本体１から離脱する。
【００３６】
さらに図９では、矢印に示すようにナス環３に対し下から上方向の荷重が掛かった状態をしめしている。同図に示すように、連結部材２は図８同様、取付部材１１の取付軸１５を中心とした回転動作を行なうことにより、連結部材２が荷重方向に沿った向きへと姿勢変更を行う。当該首振動作により、ナス環３と連結部材２との相対位置は図７及び図８に示す状態と殆ど変化が無い。そして本実施形態では上述同様に、取付軸１５の形状並びに上端部２１の形状により、首振動作によって図７及び図８に示す状態とは、取付部材１１及び連結部材２の相対位置は異なるものの、互いに接している箇所及びその周辺の形状が図７並びに図８示す態様、特に図７のＡ部拡大断面図及び図８のＢ部拡大断面図に示すように、図９のＣ部拡大断面図においても略同じとなっている。これにより、図９に示すような荷重が掛かっても、図７及び図８に示すときと略同じ荷重により連結部材２が変形し、ナス環３が鞄本体１から離脱する。
【００３７】
すなわち本実施形態の吊下具５によれば、ナス環３への荷重が、下方向、垂直方向、上方向の何れの方向に加わった場合でも同じ荷重で外れる。また、この連結部材２は鞄本体１に固定されていないため、樹脂素材の強度が低下した場合でも、容易に交換が可能である。
【００３８】
以上のような構成とすることにより、本実施形態に係る吊下具５は、鞄本体１に設けられた取付部材１１に支持されるフック体たるナス環３と、このナス環３と取付部材１１との間に介設されナス環３に作用する荷重に応じて首振り動作を行う連結部材２とを具備してなり、連結部材２が、ナス環３に一定以上の引張り荷重が作用した場合に変形し又は破壊されてナス環３を取付部材１１に対して離脱させるように強度が設定されている。これにより、連結部材２が荷重の方向に応じて首振動作可能に構成されているため、荷重を受ける連結部材２の姿勢が荷重の方向によって変化してしまうことが抑制される。これにより、荷重の方向が変わっても連結部材２に対し予め設定された強度に応じた荷重でナス環３を離脱させることができる。加えて本実施形態によれば、一度ナス環３を離脱させて連結部材２が変形してしまっても、連結部材２のみを交換すればよい。これにより、当該連結部材２を取り替えることでフック体たるナス環３が外れた後でも再度外れる前と同じ状態に容易に復元させ得るものとなっている。すなわち、リベット１０による固定を解除するような専用の工具を用いる大掛かりな修理を強いられる取付部材１１の交換を行うことなく継続して使用できる。
【００３９】
連結部材２の強度設定を容易且つ正確に行い得るようにするために本実施形態では、連結部材２を、変形可能な樹脂製の、具体的にはナイロン製の一体成形されたものとしている。
【００４０】
そしてナス環３の着脱を容易なものとしつつ当該ナス環３の着脱を繰り返しても荷重によりナス環３を離脱させるときの荷重の値に影響を及ぼさないようにし得る態様として本実施形態では、連結部材２が、取付部材１１に掛けられる上端部２１及びナス環３に係わり合う下端部２２を備えた一部に開口を有した輪状の連結部材本体２１、２２、２４と、この連結部材２の開口たる隙間２ｓに臨設され当該開口を取付部材１１又はナス環３が通過するときに他の部位よりも優先して変形可能に設けられた先端が開放端である片持ち薄肉部たる薄肉辺形部とを備えたものである態様としている。特に薄肉変形部２３の先端を開放端としているので、繰り返しナス環３を着脱して当該薄肉変形部２３のみの強度に変化を来したとしても、荷重に対応する上端部２１、下端部２２を離間させる外力には当該薄肉変形部２３の箇所の強度は何ら関係が無いので、薄肉変形部２３によるナス環３の着脱及び取付部材１１に対する着脱の容易さと設定された強度の安定した維持とを両立せしめている。
【００４１】
加えて本実施形態では、連結部材２を、上端部２１の幅寸法を下端部２２の幅寸法よりも大きく設定し、下端部２２に掛けられるナス環３が上端部２１側に移動し得ないようにすることで、常に取付部材１１とナス環３とが常に両端に位置することで変形し易い姿勢となることを有効に回避している。
【００４２】
特に本実施形態では、連結部材２の形状を、取付部材１１並びにナス環３の幅寸法に応じつつ、可能な限りできるだけ幅広に設定している。これにより、樹脂素材の厚み寸法の設定が、変形を起こす離脱荷重値に比例し易く且つ個体間のばらつきを低減し、当該離脱荷重値の正確さを有効に向上せしめている。併せて連結部材２の形状を幅広に設定することにより、取付部材１１と連結部材２との間のがたつきも、連結部材２とナス環３との間のがたつきも無くしている。
【００４３】
加えて本実施形態では、吊下対象物の取付を就学児童でも容易に行い得るように構成するため、数あるフック体の中の一例として、輪の一部が開閉し、吊下対象物を押し込むことにより連結可能に構成されたナス環３を採用している。
【００４４】
また本実施形態では、鞄本体１を、外側面に取付部材１１を備えたランドセルとした態様としているが、上述の通りナス環３たるナス環３に掛かる下方向、横方向、上方向の何れの方向に加わった場合でも同じ荷重で外れるようにして、ナス環３への外力によって就学児童が姿勢を崩してしまうといった現象が生ずる可能性を有効に排除している。
【００４５】
また、ナス環３に加わる荷重を安定して連結部材２に伝達させるべく本実施形態では、取付部材１１が、外面にリベット１０を用いて強固に止着された態様としている。
【００４６】
また取付部材１１及び鞄本体１の強度の維持と、連結部材２の安定した首振動作とを両立させるために本実施形態では、取付部材１１を、線材を環状に成形し基端部側をプレスにより扁平に成形した外面に密着するプレス領域１１ａと、線材自体の断面形状を維持しながら外面から離間するように成形した線状領域１１ｂとを有するものとしている。
【００４７】
そして連結部材２の首振動作を円滑に行わせ得る取付部材１１の具体的な態様として本実施形態では、記線状領域１１ｂの先端で連結部材２を支持するとともに連結部材２が線状領域１１ｂと外面との間のスペース１１ｃを利用して首振動作する態様を適用している。
【００４８】
特に本実施形態では上記スペース１１ｃの寸法を連結部材２の上端部２１の厚み寸法よりも大きく設定しているので、連結部材２の首振動作が鞄本体１側の構成になんら干渉されることはなく、荷重の方向に応じたスムーズな首振動作を実現している。
【００４９】
以上、本発明の実施形態について説明したが、各部の具体的な構成は、上述した実施形態のみに限定されるものではなく、本発明の趣旨を逸脱しない範囲で種々変形が可能である。
【００５０】
例えば、上記実施形態では取付部材がリベットに対して強固に固定されている態様を開示したが、勿論、取付部材がリベットを軸としてマチの面方向に沿って回動可能としたものであってもよい。また上記実施形態では連結部材の上端部が下端部に優先して変形することによりフック体を離脱させる態様を開示したが勿論、下端部を上端部に優先して変形する態様であっても良い。この場合、片持ち薄肉部は上端部側に片持ち支持させ、下端部との間に隙間たる開口を形成することが好ましい。さらに、フック体や鞄本体の具体的な態様は上記実施形態のものに限定されることはなく、既存のものを含め、種々の態様のものを適用することができる。
【００５１】
その他、各部の具体的構成についても上記実施形態に限られるものではなく、本発明の趣旨を逸脱しない範囲で種々変形が可能である。
【産業上の利用可能性】
【００５２】
本発明は吊下対象物を吊り下げるための吊下具及び当該吊下具を具備する鞄として利用することができる。
【符号の説明】
【００５３】
１…鞄本体
１０…リベット
１１…取付部材
１１ａ…プレス領域
１１ｂ…線状領域
１１ｃ…スペース
１５…取付軸
１６…持出杆
２…連結部材
２ａ…巾広領域
２ｂ…巾狭領域
２ｃ…禁止面
２１…上端部
２２…下端部
２３…片持ち薄肉部（薄肉変形部）
３…フック体（ナス環）
５…吊下具
【図１】
2017006292.tif 000003
【図２】
2017006292.tif 000004
【図３】
2017006292.tif 000005
【図４】
2017006292.tif 000006
【図５】
2017006292.tif 000007
【図６】
2017006292.tif 000008
【図７】
2017006292.tif 000009
【図８】
2017006292.tif 000010
【図９】
2017006292.tif 000011